(57)【要約】  無線通信システムは、無線通信信号の送信を開始することができるように構成されている通信制御回路を有する第１装置と、通信インターフェース回路及び複数の他の回路を含んでいる第２装置を含んでいる。通信インターフェース回路は、無線通信信号に応答して、無線通信信号によって搬送される情報を、他の回路の内の少なくとも１つに提供する。代わりに又は追加的に、通信インターフェース回路は、無線通信信号に応答して、無線通信信号によって特定される情報を、他の回路の内の少なくとも１つのから受け取り、検索された情報を搬送する別の無線通信信号を、第１装置に送信して戻す。何れの場合も、通信インターフェース回路は、複数の他の回路の何れによる制御にも応答しない。通信制御回路は、第１及び第２装置の間の全ての無線通信を制御する。【選択図】          図１
2008546362.tif 000002
【特許請求の範囲】
【請求項１】
無線通信システムにおいて、
無線通信信号の送信を開始することができるように構成された通信制御回路を有する第１装置と、
データインターフェース回路に連結されている通信インターフェース回路を有する第２装置であって、前記通信インターフェース回路は、前記無線通信信号に応答して、前記無線通信信号によって搬送される情報を前記データインターフェース回路に提供するか、又は前記無線通信信号によって特定される情報を前記データインターフェース回路から受け取る、第２装置と、を備えており、
前記通信制御回路は、前記無線通信信号の制御を介して、前記第１及び第２装置の間の全ての無線通信を制御する、無線通信システム。
【請求項２】
前記通信インターフェース回路は、前記無線通信信号に応答して、前記無線通信信号の少なくとも一部をコマンド信号に変換し、前記コマンド信号は、前記無線通信信号によって搬送される情報を前記データインターフェース回路に提供するコマンドと、前記無線通信信号によって特定される情報を前記データインターフェース回路から受け取るコマンドの内の１つに対応している、請求項１に記載の無線通信システム。
【請求項３】
前記コマンド信号が、前記無線通信信号によって特定される情報を前記データインターフェース回路から受け取るコマンドに対応している場合には、前記通信インターフェース回路は、前記無線通信信号によって特定される情報を前記データインターフェース回路から受け取り、受け取った情報を第１装置に送信して戻すことができるように構成される、請求項２に記載の無線通信システム。
【請求項４】
前記第１装置は、前記通信制御回路に連結されている無線通信回路を含んでおり、前記通信制御回路は、前記無線通信回路の制御を介して、前記第１及び第２装置の間の全ての無線通信を制御する、請求項１から３に記載の無線通信システム。
【請求項５】
前記無線通信回路は第１無線インターフェースを含んでおり、前記通信インターフェース回路は第２無線インターフェースを含んでおり、
前記第１及び第２装置の間の無線通信は、前記第１及び第２無線インターフェースの間に確立される無線通信経路を介して起こる、請求項１から４に記載の無線通信システム。
【請求項６】
前記第１無線インターフェースは第１誘導インターフェースを含んでおり、前記第２無線インターフェースは、第１誘導インターフェースに誘導的に連結されるように構成された第２誘導インターフェースを含んでおり、前記無線通信経路は、誘導的に連結される第１及び第２誘導インターフェースを介して確立される、請求項５に記載の無線通信システム。
【請求項７】
前記第１無線インターフェースは第１無線周波数（ＲＦ）アンテナを含んでおり、前記第２誘導インターフェースは第２ＲＦアンテナを含んでおり、前記無線通信経路はＲＦ通信経路である、請求項５又は６に記載の無線通信システム。
【請求項８】
前記第１無線インターフェースは第１赤外線（ＩＲ）インターフェースを含んでおり、前記第２無線インターフェースは第２ＩＲインターフェースを含んでおり、前記無線通信経路はＩＲ通信経路である、請求項５に記載の無線通信システム。
【請求項９】
前記第１無線インターフェースは第１音響インターフェースを含んでおり、前記第２無線インターフェースは第２音響インターフェースを含んでおり、前記無線通信経路は音響通信経路である、請求項５に記載の無線通信システム。
【請求項１０】
前記第１無線インターフェースは、生体に連結されるように構成された第１誘導インターフェースを含んでおり、前記第２無線インターフェースは、生体に連結されるように構成された第２誘導インターフェースを含んでおり、前記無線通信経路は、前記第１及び第２誘導インターフェースの間の生体である、請求項５に記載の無線通信システム。
【請求項１１】
前記第１誘導インターフェースは第１容量インターフェースであり、前記第２誘導インターフェースは第２容量インターフェースである、請求項１０に記載の無線通信システム。
【請求項１２】
前記データインターフェース回路はメモリ回路である、請求項１から１１に記載の無線通信システム。
【請求項１３】
前記データインターフェース回路はデータ処理回路である、請求項１から１１に記載の無線通信システム。
【請求項１４】
前記第１装置は、患者の身体に治療を施すための、又は身体の状態を監視するための携帯型医療装置であり、前記第２装置は遠隔通信装置である、請求項１から１３に記載の無線通信システム。
【請求項１５】
前記携帯型医療装置は、患者の身体に植え込むことができる、請求項１４に記載の無線通信システム。
【請求項１６】
前記携帯型医療装置は経皮的である、請求項１４に記載の無線通信システム。
【請求項１７】
前記携帯型医療装置は経真皮的医療装置である、請求項１４に記載の無線通信システム。
【請求項１８】
前記携帯型医療装置は、患者の身体にインスリンを投与することができるように構成されている、請求項１４に記載の無線通信システム。
【請求項１９】
前記携帯型医療装置は、患者の身体の分析物を監視することができるように構成されている、請求項１４に記載の無線通信システム。
【請求項２０】
前記第２装置は、複数の遠隔通信装置を含んでいる、請求項１４から１９に記載の無線通信システム。
【請求項２１】
前記第１装置は通信装置であり、前記第２装置は、患者の身体に治療を施すための、又は身体の状態を監視するための携帯型医療装置である、請求項１から２０に記載の無線通信システム。
【請求項２２】
前記携帯型医療装置は、患者の身体に植え込むことができる、請求項２１に記載の無線通信システム。
【請求項２３】
前記携帯型医療装置は経皮的医療装置である、請求項２１に記載の無線通信システム。
【請求項２４】
前記携帯型医療装置は経真皮的医療装置である、請求項２１に記載の無線通信システム。
【請求項２５】
前記携帯型医療装置は、患者の身体にインスリンを投与することができるように構成されている、請求項２１に記載の無線通信システム。
【請求項２６】
前記携帯型医療装置は、患者の身体の分析物を監視することができるように構成されている、請求項２１に記載の無線通信システム。
【請求項２７】
前記第２装置は、それぞれが、患者の身体に対して選択された治療を施すことができるように、又は選択された身体の状態を監視することができるように構成された、複数の携帯型医療装置を含んでいる、請求項２１に記載の無線通信システム。
【請求項２８】
無線通信システムにおいて、
無線通信信号の送信を開始することができるように構成されている通信制御回路を有する第１装置と、
通信インターフェース回路と複数の他の回路を含んでいる第２装置であって、前記通信インターフェース回路は、無線通信信号に応答して、前記無線通信信号によって搬送される情報を前記複数の他の回路の内の少なくとも１つに提供し、前記通信インターフェース回路は、前記複数の他の回路の内の何れによる制御にも応答しない、第２装置と、を備えている無線通信システム。
【請求項２９】
前記第１装置は、前記通信制御回路に連結されている無線通信回路を含んでおり、前記通信制御回路は、前記無線通信回路の制御を介して、前記第１及び第２装置の間の全ての無線通信を制御する、請求項２８に記載の無線通信システム。
【請求項３０】
前記複数の他の回路の内の少なくとも１つは、メモリ回路を含んでいる、請求項２８に記載の無線通信システム。
【請求項３１】
前記複数の他の回路の内の少なくとも１つは、データ処理回路を含んでいる、請求項２８に記載の無線通信システム。
【請求項３２】
前記第１装置は、患者の身体に治療を施すための、又は身体の状態を監視するための携帯型医療装置であり、前記第２装置は遠隔通信装置である、請求項２８から３１に記載の無線通信システム。
【請求項３３】
前記携帯型医療装置は、患者の身体に植え込むことができる、請求項３２に記載の無線通信システム。
【請求項３４】
前記携帯型医療装置は経皮的医療装置である、請求項３２に記載の無線通信システム。
【請求項３５】
前記携帯型医療装置は経真皮的医療装置である、請求項３２に記載の無線通信システム。
【請求項３６】
前記携帯型医療装置は、患者の身体にインスリンを投与することができるように構成されている、請求項３２に記載の無線通信システム。
【請求項３７】
前記携帯型医療装置は、患者の身体の分析物を監視することができるように構成されている、請求項３２に記載の無線通信システム。
【請求項３８】
前記第２装置は、複数の遠隔通信装置を含んでいる、請求項３２に記載の無線通信システム。  
【請求項３９】
前記第１装置は通信装置であり、前記第２装置は、患者の身体に治療を施すため又は身体の状態を監視するための携帯型医療装置である、請求項２８から３８に記載の無線通信システム。
【請求項４０】
前記携帯型医療装置は、患者の身体に植え込むことができる、請求項３９に記載の無線通信装置。
【請求項４１】
前記携帯型医療装置は経皮的である、請求項３９に記載の無線通信システム。
【請求項４２】
前記携帯型医療装置は経真皮的医療装置である、請求項３９に記載の無線通信システム。
【請求項４３】
前記携帯型医療装置は、患者の身体にインスリンを投与することができるように構成されている、請求項３９に記載の無線通信システム。
【請求項４４】
前記携帯型医療装置は、患者の身体の分析物を監視することができるように構成されている、請求項３９から４４に記載の無線通信システム。
【請求項４５】
前記第２装置は、それぞれが、患者の身体に対して選択された治療を施すことができるように、又は選択された身体の状態を監視することができるように構成された、複数の携帯型医療装置を含んでいる、請求項３９に記載の無線通信システム。
【請求項４６】
無線通信システムにおいて、
第１無線通信信号の送信を開始することができるように構成された通信制御回路を有する第１装置と、
通信インターフェース回路複数の他の回路を含んでいる第２装置であって、前記通信インターフェース回路は、前記第１無線通信信号に応答して、前記第１無線通信信号によって特定される情報を前記複数の他の回路の内の少なくとも１つから受け取り、検索した情報を搬送する第２無線通信信号を前記第１装置に送信して戻し、前記通信インターフェース回路は、前記複数の他の回路の何れによる制御にも応答しない、第２装置と、を備えている無線通信システム。
【請求項４７】
前記第１装置は、前記通信制御回路に連結されている無線通信回路を含んでおり、前記通信制御回路は、前記無線通信回路の制御を介して、前記第１及び第２装置の間の全ての無線通信を制御する、請求項４６記載の無線通信システム。
【請求項４８】
前記複数の他の回路の内の少なくとも１つは、メモリ回路を含んでいる、請求項４６に記載の無線通信システム。
【請求項４９】
前記複数の他の回路の内の少なくとも１つは、データ処理回路を含んでいる、請求項４６に記載の無線通信システム。
【請求項５０】
前記第１装置は、患者の身体に治療を施すための、又は身体の状態を監視するための携帯型医療装置であり、前記第２装置は遠隔通信装置である、請求項４６に記載の無線通信システム。
【請求項５１】
前記携帯型医療装置は、患者の身体に植え込むことができる、請求項４６から５０に記載の無線通信システム。
【請求項５２】
前記携帯型医療装置は経皮的である、請求項５０に記載の無線通信システム。
【請求項５３】
前記携帯型医療装置は経真皮的医療装置である、請求項５０に記載の無線通信システム。
【請求項５４】
前記携帯型医療装置は、患者の身体にインスリンを投与することができるように構成されている、請求項５０に記載の無線通信システム。
【請求項５５】
前記携帯型医療装置は、患者の身体の分析物を監視することができるように構成されている、請求項５０に記載の無線通信システム。
【請求項５６】
前記第２装置は、複数の遠隔通信装置を含んでいる、請求項５０に記載の無線通信システム。
【請求項５７】
前記第１装置は通信装置であり、前記第２装置は、患者の身体に治療を施すための、又は身体の状態を監視するための携帯型医療装置である、請求項４６から５６に記載の無線通信システム。
【請求項５８】
前記携帯型医療装置は、患者の身体に植え込むことができる、請求項５７に記載の無線通信システム。
【請求項５９】
前記携帯型医療装置は経皮的である、請求項５７に記載の無線通信システム。
【請求項６０】
前記携帯型医療装置は経真皮的医療装置である、請求項５７に記載の無線通信システム。
【請求項６１】
前記携帯型医療装置は、患者の身体にインスリンを投与することができるように構成されている、請求項５７に記載の無線通信システム。
【請求項６２】
前記携帯型医療装置は、患者の身体の分析物を監視することができるように構成されている、請求項５７に記載の無線通信システム。
【請求項６３】
前記第２装置は、それぞれが、患者の身体に対して選択された治療を施すことができるように、又は選択された身体の状態を監視することができるように構成された、複数の携帯型医療装置を含んでいる、請求項５８に記載の無線通信システム。
【請求項６４】
データインターフェース回路に電気的に連結されている通信インターフェース回路を有する遠隔装置との無線通信を制御するための電子装置において、
第１及び第２のタイプのコマンドを作成することができるように構成されている制御回路であって、前記第１タイプのコマンドは、前記通信インターフェース回路に、前記第１タイプのコマンドによって搬送される情報を前記データインターフェース回路に提供するように命令し、前記第２タイプのコマンドは、前記通信インターフェース回路に、前記データインターフェース回路から情報を検索して、前記検索した情報を無線で送信するように命令する、制御回路と、
前記第１及び第２の何れのタイプのコマンドも無線で送信することができるように構成されている無線通信回路と、を備えている電子装置。
【請求項６５】
前記制御回路は、前記通信インターフェース回路に、前記データインターフェース回路に情報をポーリングし、ポーリングされた情報があればそれを無線で送信するように命令する、第３タイプのコマンドを作成することができるように構成されている、請求項６４に記載の電子装置。
【請求項６６】
前記ポーリングされた情報は、以前の前記第３タイプのコマンドの生成以来、前記遠隔装置に存在している新しい情報に対応しており、前記第３タイプのコマンドは、前記通信インターフェース回路に、前記新しい情報が前記遠隔装置内で利用可能になった場合にのみ、前記新しい情報を無線で送信するように命令する、請求項６５に記載の電子装置。
【請求項６７】
第１及び第２のタイプのコマンドを無線で送信することができるように構成されている遠隔装置と通信するための電子装置において、
データインターフェース回路と、
前記データインターフェース回路に電気的に連結されている通信インターフェース回路であって、前記通信インターフェース回路は、前記第１タイプのコマンドに応答して、前記第１タイプのコマンドによって搬送される情報を前記データインターフェース回路に提供し、前記第２タイプのコマンドに応答して、前記データインターフェース回路から情報を検索し、前記検索した情報を無線で送信し、前記通信インターフェース回路は、前記第１及び第２のタイプのコマンド以外のコマンドに応答して情報を転送することはしない、通信インターフェース回路と、を備えている電子装置。
【請求項６８】
前記遠隔装置は、第３タイプのコマンドを無線で送信することができるように構成されており、
前記通信インターフェース回路は、前記第３タイプのコマンドに応答して、前記データインターフェース回路に情報をポーリングして、ポーリングされた情報があればそれを無線で送信する、請求項６７に記載の電子装置。
【請求項６９】
前記ポーリングされた情報は、以前の前記第３タイプのコマンドの受信以来、前記遠隔装置に存在している新しい情報に対応しており、前記通信インターフェース回路は、前記第３タイプのコマンドに応答して、前記新しい情報が前記遠隔装置内で利用可能になった場合にのみ、前記新しい情報を無線で送信する、請求項６８に記載の電子装置。
【発明の詳細な説明】
【技術分野】
【０００１】
本発明は、概括的には、無線通信の分野に、より厳密には、複数の装置の間で無線通信を行うためのシステムに関する。
【背景技術】
【０００２】
２つ又はそれ以上の装置の間の無線通信は、一般に、複数の既知の無線通信装置及びプロトコルを使用して行われている。用途の中には、それら装置の内の１つが、全てのその様な無線通信を制御することが望ましいものもある。その様な用途の例として、限定するわけではないが、植え込み可能な経皮的又は経真皮的医療装置の形態をした少なくとも１つの携帯型医療装置と少なくとも１つの遠隔通信装置との間の無線通信が挙げられる。
【非特許文献１】Atmel（登録商標）刊行物第1943F-RFID-04/02、(C)2002 Atmel Cororation
【発明の開示】
【課題を解決するための手段】
【０００３】
本発明は、特許請求の範囲に挙げている特徴の内の１つ又はそれ以上、及び／又は以下の特徴の内の１つ又はそれ以上、及びそれらの組み合わせを備えている。無線通信システムは、無線通信信号の送信を開始することができるように構成されている通信制御回路を有する第１装置と、データインターフェース回路に連結されている通信インターフェース回路を有する第２装置を備えている。通信インターフェース回路は、無線通信信号に応答して、無線通信信号によって搬送される情報をデータインターフェース回路に提供し、又は無線通信信号によって特定される情報をデータインターフェース回路から受け取る。通信制御回路は、無線通信信号の制御を介して、第１及び第２装置の間の全ての無線通信を制御する。
【０００４】
通信インターフェース回路は、無線通信信号に応答して、無線通信信号の少なくとも一部をコマンド信号に変換するが、このコマンド信号は、無線通信信号によって搬送される情報をデータインターフェース回路に提供するコマンドと情報をデータインターフェース回路から受け取るコマンドの内の１つに対応している。コマンド信号が、データインターフェース回路から情報を受け取るコマンドに対応している場合には、通信インターフェース回路は、データインターフェース回路から情報を受け取り、受け取った情報を第１装置に折り返し送信することができるように構成されている。
【０００５】
第１装置は、通信制御回路に連結されている無線通信回路を含んでおり、この通信制御回路は、無線通信信号の制御を介して、第１及び第２装置の間の全ての無線通信を制御する。無線通信回路は第１無線インターフェースを含んでおり、通信インターフェース回路は第２無線インターフェースを含んでいる。第１及び第２装置の間の無線通信は、第１及び第２無線インターフェースの間に確立される無線通信経路を介して起こる。第１無線インターフェースは第１誘導インターフェースを含んでおり、第２無線インターフェースは、第１誘導インターフェースに誘導的に連結されるように構成されている第２誘導インターフェースを含んでいる。
【０００６】
無線通信経路は、誘導的に連結された第１及び第２誘導インターフェースを介して確立される。別のやり方では、第１無線インターフェースは第１無線周波数（ＲＦ）アンテナを含んでおり、第２誘導インターフェースは第２ＲＦアンテナを含んでいる。この場合、無線通信経路はＲＦ通信経路である。別のやり方では、第１無線インターフェースは第１赤外線（ＩＲ）インターフェースを含んでおり、第２無線インターフェースは第２ＩＲインターフェースを含んでいる。この場合、無線通信経路はＩＲ通信経路である。
【０００７】
別のやり方では、第１無線インターフェースは第１音響インターフェースを含んでおり、第２無線インターフェースは第２音響インターフェースを含んでいる。この場合、無線通信経路は音響通信経路である。別のやり方では、第１無線インターフェースは、生体に連結されるように構成された第１誘導インターフェースを含んでおり、第２無線インターフェースは、生体に連結されるように構成された第２誘導インターフェースを含んでいる。この場合、無線通信経路は、第１及び第２誘導インターフェースの間の生体である。第１誘導インターフェースは、例えば、第１容量インターフェースであり、第２誘導インターフェースは、例えば、第２容量インターフェースである。別のやり方では、第１無線インターフェースは第１光学インターフェースを含んでおり、第２無線インターフェースは第２光学インターフェースを含んでいる。この場合、無線通信経路は光学通信経路である。
【０００８】
データインターフェース回路はメモリ回路でもよい。別のやり方では、データインターフェース回路はデータ処理回路でもよい。
【０００９】
第１装置は、患者の身体に治療を施すための又は身体の状態を監視するための携帯型医療装置であり、第２装置は遠隔通信装置である。携帯型医療装置は、患者の体内に植え込むことができるものである。別のやり方では、携帯型医療装置は、患者の身体外部に装着される。外部装着携帯型医療装置の少なくとも一部は患者の体内に伸張しており、而して、外部装着携帯型医療装置は経皮的携帯型医療装置である。別のやり方では、外部装着携帯型医療装置は、患者の皮膚を通して治療を施すことができるように構成されており、而して、外部装着携帯型医療装置は経真皮的携帯型医療装置である。第２装置は、複数の遠隔通信装置を含んでいる。
【００１０】
別のやり方では、第１装置は通信装置であり、第２装置は、患者の身体に治療を施すための又は身体の状態を監視するための携帯型医療装置である。携帯型医療装置は、患者の体内に植え込むことができるものである。別のやり方では、携帯型医療装置は、患者の身体外部に装着される。外部装着携帯型医療装置の少なくとも一部は患者の体内に伸張しており、而して、外部装着携帯型医療装置は経皮的携帯型医療装置である。別のやり方では、外部装着携帯型医療装置は、患者の皮膚を通して治療を施すことができるように構成されており、而して、外部装着携帯型医療装置は経真皮的携帯型医療装置である。第２装置は、それぞれが、患者の身体に対して選択された治療を施すことができるように、又は選択された身体状態を監視することができるように構成された、複数の携帯型医療装置を含んでいる。
【００１１】
無線通信システムは、無線通信信号の送信を開始することができるように構成されている通信制御回路を有する第１装置と、通信インターフェース回路及び複数の他の回路を含んでいる第２装置を備えている。通信インターフェース回路は、無線通信信号に応答して、無線通信信号によって搬送される情報を複数の他の回路の内の少なくとも１つに提供する。その代わりに又はそれに加えて、通信インターフェース回路は、無線通信信号に応答して、第１無線通信信号によって特定される情報を複数の他の回路の内の少なくとも１つから受け取り、検索された情報を搬送する第２無線通信信号を第１装置に折り返し送信する。何れの場合も、通信インターフェース回路は、複数の他の回路の内の何れによる制御にも応答しない。
【００１２】
第１装置は、通信制御回路に連結されている無線通信回路を含んでいる。通信制御回路は、無線通信回路の制御を介して、第１及び第２装置の間の全ての無線通信を制御する。
【００１３】
複数の他の回路の内の少なくとも１つは、メモリ回路を含んでいる。別のやり方では、複数の他の回路の内の少なくとも１つは、データ処理回路を含んでいる。
【００１４】
第１装置は、患者の身体に治療を施すための又は身体の状態を監視するための携帯型医療装置であり、第２装置は遠隔通信装置である。携帯型医療装置は、患者の体内に植え込むことができるものである。別のやり方では、携帯型医療装置は、患者の身体外部に装着される。外部装着携帯型医療装置の少なくとも一部は患者の体内に伸張しており、而して、外部装着携帯型医療装置は経皮的携帯型医療装置である。別のやり方では、外部装着携帯型医療装置は、患者の皮膚を通して治療を施すことができるように構成されており、而して、外部装着携帯型医療装置は経真皮的携帯型医療装置である。第２装置は、複数の遠隔通信装置を含んでいる。
【００１５】
別のやり方では、第１装置は通信装置であり、第２装置は、患者の身体に治療を施すための又は身体の状態を監視するための携帯型医療装置である。携帯型医療装置は、患者の体内に植え込むことができるものである。別のやり方では、携帯型医療装置は、患者の身体外部に装着される。外部装着携帯型医療装置の少なくとも一部は患者の体内に伸張しており、而して、外部装着携帯型医療装置は経皮的携帯型医療装置である。別のやり方では、外部装着携帯型医療装置は、患者の皮膚を通して治療を施すことができるように構成されており、而して、外部装着携帯型医療装置は経真皮的携帯型医療装置である。第２装置は、それぞれが、患者の身体に対して選択された治療を施すことができるように、又は選択された身体状態を監視することができるように構成された、複数の携帯型医療装置を含んでいる。
【発明を実施するための最良の形態】
【００１６】
本発明の原理の理解を促すために、これより、添付図面に示す複数の代表的な実施形態を参照してゆくが、実施形態の説明には特定の言語を使用するものとする。
【００１７】
先ず、図１には、無線通信システム１０の代表的な一実施形態のブロック図を示している。図示の実施形態では、システム１０は、電子装置１２と、Ｍを正の整数として、Ｍ個の別々の電子装置１４１〜１４Mを含んでいる。
【００１８】
電子装置１４１は、無線通信回路１８１に、そして電子装置１４１に取り付けられ、担持され、又はその一部を形成する他の回路構成要素２０１にも連結されている、少なくとも１つの制御回路１６１を含んでいる。一実施形態では、制御回路１６１は、１つ又はそれ以上の従来型プロセッサ回路を含んでおり、無線通信回路１８１の適切な制御を介して、電子装置１２との全ての無線通信を制御すると共に、そこに含まれ他の回路構成要素２０１を備えている１つ又はそれ以上の電子回路、モジュール、又は装置を制御するために、１つ又はそれ以上のソフトウェアアルゴリズムを実行することができるように構成されている。別のやり方では、制御回路１６１は、以下に説明するように作動可能な１つ又はそれ以上の汎用又は用途特定プロセッサ回路であるか、又はそれらを含んでいる。
【００１９】
無線通信回路１８１は、電子装置１２との無線通信を確立し実施することができるように構成された１つ又はそれ以上の電子回路、モジュール、又は装置であるか、又はそれらを含んでいる。一実施形態では、例えば、電子装置１４１は、電子装置１２に無線情報を送ることしかできないように構成されており、この実施形態では、無線通信回路１８１は、電子装置１２に無線情報を送信することができるように構成された従来の送信回路であるか、又はそれを含んでいる。別の実施形態では、電子装置１４１は、電子装置と２方向通信を行えるように構成されている。この実施形態では、電子装置１４１は、電子装置１２に対して通信信号により搬送される無線通信情報の送信と受信ができるように構成されているか、或いは、電子装置１２から無線情報を受信することしかできないように構成されている。上記両方の事例で、制御回路１６１は、電子装置１２との全ての無線通信を制御することができるように構成されているため、無線通信回路１８１は、電子装置１２との無線通信を行うことができるように構成された従来の送受信回路を含むことになる。何れの事例も、使用される無線通信の形態としては、限定するわけではないが、無線周波数（ＲＦ）通信、赤外線（ＩＲ）通信、ＲＦＩＤ（誘導結合）通信、音響通信、（誘電材料を介する）容量性信号送信、（導電材料を介する）ガルバニック信号送信、光学通信、又は類似物が挙げられる。上記何れの事例でも、無線通信回路１８１は、必要に応じて、更に、１つ又はそれ以上のアンテナ、連結装置、センサ、又は無線通信の選定された形態を実施又はやり易くするのを援助し又はそれに必要な類似物を含んでいる。
【００２０】
他の回路構成要素２０１としては、限定するわけではないが、１つ又はそれ以上の表示装置、アクチュエータ、データ入力装置、センサ、又は類似物が挙げられる。電子装置１４１は、限定するわけではないが、例えば、植え込み可能な装置、使用者が装着できるように又は使用者に取り付けられるように構成された経皮的又は経真皮的装置、使用者に取り付けられるように又は使用者が装着できるように又は使用者自身が又は着用している衣服の中に入れて携行できるように構成されたコンパクトな装置、手持ち式装置、ノートブック型又はラップトップ型装置、デスクトップ型装置、又は類似物を含め、様々な形態の何れで提供されてもよい。１つ又は追加的な電子装置１４Ｍは、少なくとも、電子装置１４１に関して先ほど説明したばかりの構造及び特徴を含んでいるものと理解頂きたい。
【００２１】
電子装置１２は、電子装置１２に取り付けられ、担持され、又はその一部を形成している他の回路構成要素３４に電気的に連結されているデータインターフェース回路３２に電気的に連結されている無線通信インターフェース３０を含んでいる。図示の実施形態では、無線通信インターフェース回路３０は、制御回路１６１〜１６Ｍの内の何れか１つ又はそれ以上によって生成され、１つ又はそれ以上の対応する無線通信回路１８１〜１８Ｍを介して無線通信インターフェース回路３０に送信されるコマンドに応じたデータしか転送又は受信しないように構成されている。より具体的には、無線通信インターフェース回路３０は、制御回路１６１〜１６Ｍの内の何れか１つ又はそれ以上の制御と命令の下で、情報をデータインターフェース回路３２に転送するだけであり、また同じように、対応する１つ又はそれ以上の制御回路１６１〜１６Ｍの制御と命令の下で、データインターフェース回路３２からのデータを、電子装置１４１〜１４Ｍの内の１つ又はそれ以上に転送するだけである。データインターフェース３２又は他の回路構成要素３４を備えているあらゆる回路又は装置を含め、電子装置１２上に搭載されている何れの回路構成要素も、無線通信インターフェース回路３０と電子装置１４１〜１４Ｍの内の何れか１つ又はそれ以上との間の無線通信を制御することはない。
【００２２】
制御回路１６１〜１６Ｍの内の何れか１つ又はそれ以上は、無線通信回路１８１〜１８Ｍの内の対応する１つ又はそれ以上の回路の適切な制御を介して、電子装置１４１〜１４Ｍの内の対応する装置と電子装置１２との間に、対応する無線通信リンク４０１〜４０Ｍを確立する。電子装置１４１〜１４Ｍの内の何れか１つ又はそれ以上の間の全ての無線通信は、制御回路１６１〜１６Ｍの内の対応する１つ又はそれ以上の完全な制御の下に、無線通信リンク４０１〜４０Ｍの内の対応する１つ又はそれ以上のリンクを介して行われる。電子装置１２と１つ又はそれ以上の対応する電子装置１４１〜１４Ｍとの間の通信リンク４０１〜４０Ｍの内の何れか１つ又はそれ以上が誘導リンクであるシステム１０の実施形態では、対応する１つ又はそれ以上の通信回路１６１〜１６Ｍは、無線通信インターフェース回路３０の動作を開始させるために、対応する１つ又はそれ以上の無線通信回路１８１〜１８Ｍを制御する必要はない。そうではなく、上記実施形態の無線通信インターフェース回路３０の、データを送信又は受信する動作は、無線通信インターフェース回路３０と無線通信回路１８１〜１８Ｍの内の１つ又はそれ以上との間に誘導結合が確立されたことに応えて開始される。実施形態の中には、例えば、下で更に詳しく説明しているように、無線通信インターフェース回路３０が、その様な誘導結合から自身の運転電力を引き出すものもあり、その場合、無線通信インターフェース回路３０は、データの送信又は受信を開始するため電力を引き上げるよう機能する。その後、電子装置１２と電子装置１４１〜１４Ｍの内の何れか１つ又はそれ以上との間の全ての通信は、対応する１つ又はそれ以上の無線通信回路１６１〜１６Ｍによって制御される。
【００２３】
電子装置１２及び／又は１４１〜１４Ｍの何れでも、任意の個数の異なる無線通信技法又はプロトコルに従って、１つ又はそれ以上の他の装置と通信できるようにするために、電子装置１２と電子装置１４１〜１４Ｍの内の何れであっても、代わりに又は追加的に、複数の無線通信インターフェースを含んでいてもよいことが理解頂けるであろう。これは、無線通信インターフェース回路３０及び／又は無線通信回路１８１〜１８Ｍの内の何れかに、複数のテレメトリーインターフェースを提供することにより、又は複数の無線通信インターフェース回路３０及び／又は何れか１つの対応する装置１２及び／又は１４１〜１４Ｍの無線通信回路１８１〜１８Ｍに、それぞれ、異なる専用のテレメトリーインターフェースを有するその様な無線通信インターフェース回路３０及び／又は無線通信回路１８１〜１８Ｍを設けることにより、達成される。
【００２４】
図示の実施形態では、データインターフェース回路３２は、一般に、１つ又はそれ以上の対応する電子装置１４１〜１４Ｍの制御回路１６１〜１６Ｍの内の１つ又はそれ以上の制御の下で、無線通信インターフェース回路３０により提供される情報を受け取ることができるように、及び／又は、一般に、制御回路１６１〜１６Ｍの内の１つ又はそれ以上の要請により、無線通信インターフェース回路３０に情報を提供することができるように構成されている。後者の場合、無線通信インターフェース回路３０は、制御回路１６１〜１６Ｍの内の１つ又はそれ以上によって生成され、無線通信リンク４０１〜４０Ｍの内の対応する１つ又はそれ以上を介して無線で受信されたコマンドに応答して、その様なコマンドによって特定される情報をデータインターフェース回路３２から検索し、要求されている情報を、通信リンク４０１〜４０Ｍの内の適切な１つ又はそれ以上のリンクを介して、１つ又はそれ以上の制御回路１６１〜１６Ｍに送信又は転送して戻す。
【００２５】
一実施形態では、データインターフェース回路３２は、１つ又はそれ以上の制御回路１６１〜１６Ｍにより作成され、無線通信インターフェース回路３０を介して与えられたコマンドに従って、それに則って行動することができるように構成された少なくとも１つのプロセッサ回路を含んでいる。この実施形態では、１つ又はそれ以上のプロセッサ回路は、更に、他の回路構成要素３４内に含まれている１つ又はそれ以上の回路又は他の電気要素を制御することができるように構成されている。別の実施形態では、データインターフェース回路３０は、代わりに、制御回路１６１〜１６Ｍの内の１つ又はそれ以上によって作成され、無線通信インターフェース回路３０を介して与えられたコマンドに従って、それに則って行動することができるように構成された１つ又はそれ以上の状態機械であるか、又はそれらを含んでいる。この実施形態では、他の回路構成要素３４は、１つ又はそれ以上のプロセッサ回路を含んでいてもいなくてもよい。更に別の実施形態では、データインターフェース回路３２は、制御回路１６１〜１６Ｍの内の１つ又はそれ以上によって作成され、無線通信回路３０に無線で送信されたコマンドに応答して、無線通信インターフェース回路３０によって与えられたデータを１つ又はそれ以上の特定のメモリ場所に保存し、及び／又は１つ又はそれ以上の特定されたメモリ位置に置かれたデータを、無線通信リンク４０１〜４０Ｍの内の対応する１つ又はそれ以上を介して、１つ又はそれ以上の制御回路１６１〜１６Ｍに転送して戻すために、無線通信インターフェース回路３０に提供する、少なくとも１つのメモリ装置であるか、又はそれを含んでいる。この実施形態では、他の回路構成要素３４は、データインターフェース回路３２を備えている１つ又はそれ以上のメモリ装置にデータを提供し及びそこからデータを受け取ることができるように構成された１つ又はそれ以上のプロセッサ回路又は１つ又はそれ以上の状態機械を含んでいる。
【００２６】
一般に、他の回路構成要素３４としては、限定するわけではないが、１つ又はそれ以上の表示装置、アクチュエータ、データ入力装置、センサ、又は類似物が挙げられる。電子装置１２は、限定するわけではないが、例えば、植え込み可能な装置、使用者が着用できるように又は使用者に取り付けられるように構成された経皮的又は経真皮的装置、使用者が携行できるように又は使用者が着用している衣服の中に入れて携行できるように構成されたコンパクトな装置、手持ち式装置、ノートブック型又はラップトップ型装置、デスクトップ型装置、又は類似物を含め、様々な形態の何れの形態で提供してもよい。
【００２７】
制御回路１６１〜１６Ｍは、それぞれが、複数の異なるタイプのコマンドを作成できるように構成されている。或るタイプのコマンドは、無線通信インターフェース回路３０に、このタイプのコマンドによって搬送される情報をデータインターフェース回路３２に提供するように、命令することができるように構成されている。別のタイプのコマンドは、無線通信インターフェース回路３０に、このタイプのコマンドによって特定される情報をデータインターフェース回路３２から検索し、検索した情報を無線で送信するように、命令することができるように構成されている。更に別のタイプのコマンドは、無線通信インターフェース回路３０に、データインターフェース回路３２に情報をポーリングし、ポーリングされた情報があればそれを無線で送信するように、命令することができるように構成されている。ポーリングされた情報は、実例として、以前のこのタイプのコマンドの生成以来、装置１２に存在している新しい情報に対応している。一般に、このタイプのコマンドは、実例として、無線通信インターフェース回路３０に、装置１２内で新しい情報が入手可能になったときだけ、その新しい情報を無線で送信するように、命令することができるように構成されている。何れの場合も、上記何れのタイプのコマンドも、装置１２に送信される無線通信信号によって搬送される。
【００２８】
無線通信インターフェース回路３０は、一般に、電子装置１４１〜１４Ｍの何れか１つ又はそれ以上から受信した無線通信信号に応答して、無線通信信号の少なくとも一部を、様々なコマンド信号の対応する信号に変換し直す。無線通信インターフェース回路３０は、次いで、或るタイプのコマンドに応答して、情報をデータインターフェース回路３２に提供し、別のタイプのコマンドに応答して、情報をデータインターフェース回路３２から検索し、検索した情報を無線で送信し、更に別のタイプのコマンドに応答して、上記のようにデータインターフェース回路３２に情報をポーリングし、ポーリングされた情報があればそれを無線で送信する。
【００２９】
次に図２は、図１の無線通信インターフェース回路３０の１つの代表的な実施形態のブロック図を示している。図示の実施形態では、無線通信インターフェース回路３０は、第１回路入力が第１通信信号入力ＡＣ１に電気的に接続され、第２入力が第２通信信号入力ＡＣ２に電気的に接続されている、ブリッジ整流回路５０を含んでいる。通信信号入力ＡＣ１とＡＣ２の間には、変調回路５２、過電圧クランプ回路５４、トリムコンデンサＣＴが電気的に接続されている。ブリッジ整流計５０の出力は、電圧調整器５６に電気的に接続されている。ブリッジ整流回路５０は、無線通信リンク（４０１〜４０Ｍ）に在るエネルギーに応えて、電圧調整器５６に供給されるＤＣ電圧を作り出す。電圧調整器５６は、このＤＣ電圧に応えて、無線通信インターフェース回路３０の全ての内部回路構成要素への電力供給に使用され、無線通信インターフェース回路３０の外部の１つ又はそれ以上の回路への供給電圧としても使用される、供給電圧ＶＤＤを作り出す。調整回路５６によって作り出された供給電圧は、低電圧検出回路５８に、制御回路６０に、更には高電圧生成回路６２にも提供される。ＥＥＰＲＯＭ６４も、制御回路６０に電気的に接続されている。通信信号入力ＡＣ１と制御回路６０の間にはクロック抽出回路６６が電気的に連結されており、データ変調回路６８が、同じように、通信信号入力ＡＣ１と制御回路６０の間に電気的に連結されている。制御回路６０の出力は、変調回路５２に接続されている。
【００３０】
直ぐ上で説明したように、ブリッジ整流回路５０は、通信信号入力ＡＣ１とＡＣ２に供給された通信信号に応答して、ＤＣ電圧を電圧調整回路５６に供給し、この回路５６は、次に供給電圧ＶＤＤを全ての内部回路構成要素に提供する。図示の無線通信インターフェース回路３０は、この様に、その供給電圧を、無線通信リンク４０１〜４０Ｍを確立している通信信号から抽出することによって自給する。クロック抽出回路６６とデータ変調回路６８は、通信信号入力ＡＣ１とＡＣ２に与えられた通信信号からタイミングとデータの情報を抽出して、この情報を制御回路６０に提供する。この情報から、制御回路６０は、クロック信号ＳＣＫ、チップ選択信号ＣＳ、及びデータ出力信号ＳＯを生成する。情報は、制御回路６０のＳＣＫ、ＣＳ、及びＳＯの各出力を使用して、無線通信回路３０からデータインターフェース回路３２に転送される。データインターフェース回路３２により提供された着信データが、データ入力信号経路Ｓ１を経由して制御回路６０に入って来ると、制御回路６０は、変調回路５２を適切に制御して、対応する無線通信信号を、通信信号ポートＡＣ１とＡＣ２を介して、１つ又はそれ以上の電子装置１４１〜１４Ｍに送信し戻すことによって、何れの上記データも、電子装置１４１〜１４Ｍの内の１つ又はそれ以上に折り返し提供する。
【００３１】
図２に示す無線通信インターフェース回路３０のブロック図は、カリフォルニア州サンノゼのAtmel Corporationから市販されているＲＦＩＤ外部ＥＥＰＲＯＭインターフェース回路番号AT88RF001を表している。AT88RF001は、外部高密度シリアルメモリ又は他の電子装置に接続するのに適したシリアルポートを含んでいる、独立型１３．５６ＭＨｚ、ＲＦＩＤフロントエンド回路である。搭載されているＥＥＰＲＯＭ６４を使用し、AT88RF001は、様々なプロトコルを利用して通信できるように構成されており、２線及びＳＰＩ両方式の外部装置にインターフェースすることができる。AT88RF001は、３２０ビットの全読み／書きＥＥＰＲＯＭメモリ６４を保有しており、パスワード、ロック機構、及び可変長ＩＤの様な特性を提供している。それは、ＩＳＯ／ＩＥＣ１４４３−２、タイプＢ技術との電気的適合性を有している。AT88RF001回路は、内部同調コンデンサＣＴを含んでいるため、ＲＦＩＤチャネルを完成させるためには、外付きのコイルアンテナを必要とするだけである。シリアルポートは、２線又は４線（ＳＰＩ）シリアルチャネルの何れを使用して、毎秒１０６キロビット（Ｋｂｐｓ）の最大速度で外部回路と通信することができるように構成されている。なお、無線通信回路３０の他の実施形態では、他の従来のインターフェースが使用されている。AT88RF001回路の構造と動作に関する更なる詳細は、Atmel（登録商標）刊行物第1943F-RFID-04/02、(C)2002 Atmel Cororationに見い出すことができ、同刊行物の内容をここに参考文献として援用する。
【００３２】
図１の無線通信システム１０の幾つかの特定の実装例をこれより提示する。以下の実施例の内、最初の２例では、無線通信インターフェース回路３０は、図２に関して説明したAT88RF001回路で実装したものとして説明してゆくが、無線通信インターフェース回路３０は、代わりに、図１に関して説明したように、そして以下の実施例で説明されているように、機能することができる１つ又はそれ以上の汎用又は用途特定回路の形態で提供してもよいものと理解頂けるであろう。
実施例１
次に図３は、図１の無線通信システムの特定の一実装例１０’を示している。この実施例では、任意の個数、Ｍ個の電子装置１４１〜１４Ｍが含まれているが、説明を解りやすくするために、その様な電子装置は１つ１４Ｋしか示していない。この実施例では、電子装置１２は、ヒト又は動物の体内に植え込まれる携帯型医療装置の形態で提供されているが、ヒト又は動物の身体とインターフェースする外部装置であってもよい。携帯型医療装置が外部装置である実施形態では、医療装置は、装置の少なくとも一部が患者の体内に伸張している経皮的装置である。或いは、外部医療装置は、患者の皮膚を通して治療を施すことができるように構成された経真皮的装置であってもよい。携帯型医療装置１２は、ヒト又は動物の１つ又はそれ以上の状態、例えば、分析物を監視するための装置又はシステムであってもよいし、或いは、医学療法を、ヒト又は動物に、薬物、例えば、インスリン又は他の薬剤、又は他の治療上の処置の形態で、制御可能に施すための装置又はシステムであってもよい。その様な携帯型医療装置１２としては、限定するわけではないが、薬物注入装置、心臓又は他の監視装置、又は類似物が挙げられる。
【００３３】
図示の実施形態では、電子装置１４Ｋは、携帯型医療装置１２とは別体の通信装置であり、図１に関して上で説明したように、手持ち式又は他の持ち運び可能な装置の形態、又はデスクトップ又は固定装置の形態で提供される。
【００３４】
図示の実施形態では、無線通信回路１８Ｋは、適したコイルの様な誘導インターフェース２２を含んでおり、別の適したコイルの様な別の誘導インターフェース３６が、AT88RF001無線通信インターフェース回路３０の通信信号ポートＡＣ１とＡＣ２に電気的に連結されている。而して、誘導インターフェース２２と３６の間には、誘導結合を介して、誘導リンク上で無線通信が行えるようにする従来のやり方で、無線通信リンク４０Ｋが確立される。
【００３５】
図示の実施形態では、データインターフェース回路３２は、AT88RF001無線通信インターフェース回路３０のデータ出力ポートＳＯに電気的に接続された第１データ入力ポートと、AT88RF001無線通信インターフェース回路３０のデータ入力ポートＳＩに電気的に接続された第１データ出力ポートを有する従来のデュアルポートメモリ装置の形態で提供されている。第２データ出力ポートは、他の回路構成要素３４に電気的に接続されており、第２データ入力ポートも、他の回路構成要素３４に電気的に接続されている。他の回路構成要素３４は、この実施形態では、デュアルポートメモリ装置３２の第２データ出力ポートからデータを受け取り、デュアルポートメモリ装置３２の第２データ入力ポートにデータを送ることができるように構成された、マイクロプロセッサ又は他のプロセッサ回路、或いは状態機械を含んでいる。他の回路構成要素３４は、更に、図１に関して上で説明した様に、１つ又はそれ以上のアクチュエータ、センサ、表示装置、データ入力装置、及び類似物を含んでいる。同様に、通信装置１４Ｋの他の回路構成要素２０Ｋは、１つ又はそれ以上のアクチュエータ、センサ、表示装置、データ入力装置、及び類似物を含んでいる。
【００３６】
図３に示す無線通信システム１０’の一実施形態では、通信装置１４Ｋの制御回路１６Ｋは、情報を携帯型医療装置１２に送ることしかできないように構成されているので、通信装置１４Ｋから携帯型医療装置１２への一方向通信しか起こらない。この実施形態では、無線通信回路１８Ｋは、制御回路１６Ｋによって作成されたコマンドに応答して、それらコマンドを、無線通信リンク４０Ｋを介して携帯型医療装置１２のAT88RF001無線通信インターフェース回路３０に送信する送信回路を含んでおり、上記コマンドは、デュアルポートメモリ装置３２内の特定されたアドレス又はアドレスブロックにデータの特定された値を書き込むインストラクションを含んでいる。代わりの実施形態では、通信装置１４Ｋの制御回路１６Ｋは、携帯型医療装置１２から情報を受け取ることしかできないように構成されているので、携帯型医療装置１２から通信装置１４Ｋへの一方向通信しか起こらない。この実施形態では、無線通信回路１８Ｋは、制御回路１６Ｋに応答して、制御回路１６Ｋによって生成されたコマンドを、無線通信リンク４０Ｋを介してAT88RF001無線通信インターフェース回路３０に送る送受信回路を含んでおり、上記コマンドは、デュアルポートメモリ３２の特定されたアドレス又はアドレスブロックからデータ値を検索し、検索したデータ値を、無線通信リンク４０Ｋを介して送受信回路１８Ｋに送信して戻すインストラクションを含んでいる。検索したデータ値は、その後、送受信回路１８Ｋによって制御回路１６Ｋに折り返し提供される。更に別の実施形態では、制御回路１６Ｋは、携帯型医療装置１２への情報の送信と、携帯型医療装置１２から返される特定された情報の受信を制御し、これにより、通信装置１４Ｋと携帯型医療装置１２の間の二方向通信を制御するように作動する。この実施形態では、制御回路１６Ｋは、本実施例の中でこれまでに説明したように作動して、AT88RF001無線通信インターフェース回路３０に対してデータを送受信する。上記実施形態のそれぞれにおいて、デュアルポートメモリ回路３２は、選択されたシリアル通信プロトコルに従って、要求された動作を実行し、その応答をAT88RF001無線通信インターフェース回路３０に返す。AT88RF001無線通信インターフェース回路３０は、全てのコマンドと応答を、様々な装置及びそれらに作用する回路によって使用される適したデータプロトコルに変換する。
【００３７】
AT88RF001無線通信インターフェース回路３０の動作とは無関係に、他の回路構成要素３４に含まれているマイクロプロセッサ又は他のプロセッサ回路又は状態機械は、デュアルポートメモリ装置３２の第２データ入力及び出力ポートを使用して、適切なデータ値をそこから読み出しそこに書き込む。しかしながら、その他の全てのその様なマイクロプロセッサ、他のプロセッサ回路、又は状態機械は、AT88RF001無線通信インターフェース回路３０とのデータ通信を開始することも制御することもできないものと理解頂けるであろう。そうではなくて、通信装置１４Ｋの制御回路１６Ｋだけが、AT88RF001無線通信インターフェース回路３０を制御して、携帯型医療装置１２と通信装置１４Ｋの間でデータを転送することができる。
実施例２
次に図４は、図１の無線通信システム１０の別の特定的な実装例１０”を示している。この実施例では、任意の個数、Ｍ個の電子装置１４１〜１４Ｍが含まれているが、説明を解りやすくするために、その様な電子装置は１つ１４Ｋしか示していない。この実施例では、電子装置１２と１４は、それぞれ図３に関して図示し説明した実装例と多くの点で同じであり、従って同じ構成要素には同じ符号を付して識別している。しかしながら、実装例１０”では、データインターフェース回路３２は、データプロセッサの形態で提供されており、これは、１つ又は複数の従来のプロセッサ回路又は状態機械で実装されている。この実装例では、通信装置１４Ｋ及びAT88RF001無線通信インターフェース回路３０は、上の実施例１に説明したものと同じように挙動し、データプロセッサ３２は、実施例１で説明したメモリ装置の機能をエミュレートするように構成されている。
実施例３
次に図５は、図１の無線通信システム１０の更に別の特定的な実装例１０”’を示している。この実施例では、任意の個数、Ｍ個の電子装置１４１〜１４Ｍが含まれているが、説明を解りやすくするために、その様な電子装置は１つ１４Ｋ１しか示していない。この実施例では、電子装置１２は、通信装置の形態で提供されており、電子装置１４Ｋは、携帯型医療装置の形態で提供されている。通信装置１２は、図１に関して上で説明したように、手持ち式又は他の持ち運び可能な装置の形態、又はデスクトップ又は固定装置の形態で提供される。一方、携帯型医療装置１４Ｋは、ヒト又は動物の体内に埋め込んでもよいし、或いは、ヒト又は動物の身体とインターフェースする外部装置であってもよい。携帯型医療装置が外部装置である実施形態では、医療装置は、装置の少なくとも一部が患者の体内に伸張している経皮的装置である。或いは、外部医療装置は、患者の皮膚を通して治療を施すことができるように構成された経真皮的装置でもよい。携帯型医療装置１４Ｋは、ヒト又は動物の１つ又はそれ以上の状態、例えば、分析物を監視するための装置又はシステムであってもよいし、或いは、医学療法を、ヒト又は動物に、薬物、例えば、インスリン又は他の薬剤、又は他の治療上の処置の形態で、制御可能に施すための装置又はシステムであってもよい。その様な携帯型医療装置１４Ｋの例としては、限定するわけではないが、薬物注入装置、心臓又は他の監視装置、又は類似物が挙げられる。
【００３８】
図示の実施形態では、無線通信回路１８Ｋは、従来のＲＦアンテナ２４を含んでおり、別の従来のＲＦアンテナ３８が、無線通信インターフェース回路３０に電気的に連結されている。AT88RF001は、一般的には、信号ポートＡＣ１とＡＣ２を介してＲＦ通信をサポートしてはおらず、図５に示す実施形態では、１つ又はそれ以上の他の従来の回路が、無線通信インターフェース回路３０を備えている。図５に示す実施形態の無線通信インターフェース回路３０は、その他の点ではここで説明したように作動する。無線通信リンク４０Ｋは、従って、ＲＦ通信リンクを介して、アンテナ２４と３８の間に、無線通信がＲＦリンク上で行われるようにする従来のやり方で確立される。
【００３９】
図示の実施形態では、データインターフェース回路３２は、図３に関して図示し説明したように従来のデュアルポートメモリ装置の形態で提供してもよいし、或いは図４に関して図示し説明したようにプロセッサ回路又は状態機械の形態で提供してもよい。
【００４０】
図５に示す無線通信システム１０”’の一実施形態では、携帯型医療装置１４Ｋの制御回路１６Ｋは、情報を通信装置１２に送ることしかできないように構成されているので、携帯型医療装置１４Ｋから通信装置１２への一方向通信しか起こらない。この実施形態では、無線通信回路１８Ｋは、制御回路１６Ｋによって生成されたコマンドに応答して、それらコマンドを、無線通信リンク４０Ｋを介して携帯型医療装置１２の無線通信インターフェース回路３０に送信する送信回路を含んでおり、上記コマンドは、データインターフェース装置３２に特定されたデータの値を書き込むインストラクションを含んでいる。代わりの実施形態では、携帯型医療装置１４Ｋの制御回路１６Ｋは、通信装置１２から情報を受け取ることしかできないように構成されているので、通信装置１２から携帯型医療装置１４Ｋへの一方向通信しか起こらない。この実施形態では、無線通信回路１８Ｋは、制御回路１６Ｋに応答して、制御回路１６Ｋによって生成されたコマンドを、無線通信リンク４０Ｋを介して無線通信インターフェース回路３０に送る送受信回路を含んでおり、上記コマンドは、データインターフェース装置３２からデータ値を検索し、検索したデータ値を、無線通信リンク４０Ｋを介して送受信回路１８Ｋに送信して戻すインストラクションを含んでいる。検索したデータ値は、その後、送受信回路１８Ｋによって制御回路１６Ｋに折り返し提供される。更に別の実施形態では、制御回路１６Ｋは、通信装置１２への情報の送信と、通信装置１２から返される特定された情報の受信を制御し、これにより、携帯型医療装置１４Ｋと通信装置１２との間の二方向通信を制御するよう作動する。この実施形態では、制御回路１６Ｋは、本実施例の中でこれまでに説明したように作動して、無線通信インターフェース回路３０に対してデータを送受信する。上記実施形態のそれぞれにおいて、データインターフェース回路３２は、選択されたシリアル通信又他の従来のプロトコルに従って、要求された動作を実行し、その応答を無線通信インターフェース回路３０に返す。無線通信インターフェース回路３０は、全てのコマンドと応答を、様々な装置及びそれらに作用する回路によって使用される適したデータプロトコルに変換する。
【００４１】
当業者には、図１の無線通信回路１０の他の実装例が認識されるであろうが、その様な他の実装例は、何れも本開示により考慮されている。
【００４２】
以上、本発明を上記図面に図示し、詳細な説明の中で詳しく記述してきたが、それらは説明を目的としており、制限を課すものでは無いと解釈して頂きたく、本発明の代表的な実施形態を示し説明したに過ぎず、本発明の精神に包含される全ての変更及び修正は保護の対象とされることを求める旨、理解頂きたい。例えば、ここに説明している何れの実施形態においても、１つ又はそれ以上の制御回路１６１〜１６Ｍは、従来のやり方で、特定された間隔で、電子装置１２を「ポーリング」し、これにより、電子装置１２からの新しい情報を周期的に要求するようにしてもよい。
【図面の簡単な説明】
【００４３】
【図１】無線通信システムの一実施形態の線図を示している。
【図２】図１に示す無線通信インターフェース回路の一実施形態の概略線図を示している。
【図３】図２の無線通信インターフェース回路を使用した図１の無線通信システムの一実施形態の線図である。
【図４】図２の無線通信インターフェース回路を使用した図１の無線通信システムの別の実施形態の線図である。
【図５】図２の無線通信インターフェース回路を使用した図１の無線通信システムの更に別の実施形態の線図である。
【図１】
2008546362.tif 000003
【図２】
2008546362.tif 000004
【図３】
2008546362.tif 000005
【図４】
2008546362.tif 000006
【図５】
2008546362.tif 000007
【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
無線通信システムにおいて、
無線通信信号の送信を開始することができるように構成された通信制御回路を有する第１装置と、
データインターフェース回路に連結されている通信インターフェース回路を有する第２装置であって、前記通信インターフェース回路は、前記無線通信信号に応答して、前記無線通信信号によって搬送される情報を前記データインターフェース回路に提供するか、又は前記無線通信信号によって特定される情報を前記データインターフェース回路から受け取る、第２装置と、を備えており、
前記通信制御回路は、前記無線通信信号の制御を介して、前記第１及び第２装置の間の全ての無線通信を制御する、無線通信システム。
【請求項２】
前記通信インターフェース回路は、前記無線通信信号に応答して、前記無線通信信号の少なくとも一部をコマンド信号に変換し、前記コマンド信号は、前記無線通信信号によって搬送される情報を前記データインターフェース回路に提供するコマンドと、前記無線通信信号によって特定される情報を前記データインターフェース回路から受け取るコマンドの内の１つに対応している、請求項１に記載の無線通信システム。
【請求項３】
前記無線通信回路は第１無線インターフェースを含んでおり、前記通信インターフェース回路は第２無線インターフェースを含んでおり、
前記第１及び第２装置の間の無線通信は、前記第１及び第２無線インターフェースの間に確立される無線通信経路を介して起こる、請求項１または２に記載の無線通信システム。
【請求項４】
前記第１無線インターフェースは第１無線周波数（ＲＦ）アンテナを含んでおり、前記第２誘導インターフェースは第２ＲＦアンテナを含んでおり、前記無線通信経路はＲＦ通信経路である、請求項３に記載の無線通信システム。
【請求項５】
無線通信システムにおいて、
無線通信信号の送信を開始することができるように構成されている通信制御回路を有する第１装置と、
通信インターフェース回路と複数の他の回路を含んでいる第２装置であって、前記通信インターフェース回路は、無線通信信号に応答して、前記無線通信信号によって搬送される情報を前記複数の他の回路の内の少なくとも１つに提供し、前記通信インターフェース回路は、前記複数の他の回路の内の何れによる制御にも応答しない、第２装置と、を備えている無線通信システム。
【請求項６】
前記複数の他の回路の内の少なくとも１つは、メモリ回路を含んでいる、請求項５に記載の無線通信システム。
【請求項７】
前記第１装置は、患者の身体に治療を施すための、又は身体の状態を監視するための携帯型医療装置であり、前記第２装置は遠隔通信装置である、請求項５または６に記載の無線通信システム。
【請求項８】
前記携帯型医療装置は経真皮的医療装置である、請求項７に記載の無線通信システム。
【請求項９】
データインターフェース回路に電気的に連結されている通信インターフェース回路を有する遠隔装置との無線通信を制御するための電子装置において、
第１及び第２のタイプのコマンドを作成することができるように構成されている制御回路であって、前記第１タイプのコマンドは、前記通信インターフェース回路に、前記第１タイプのコマンドによって搬送される情報を前記データインターフェース回路に提供するように命令し、前記第２タイプのコマンドは、前記通信インターフェース回路に、前記データインターフェース回路から情報を検索して、前記検索した情報を無線で送信するように命令する、制御回路と、
前記第１及び第２の何れのタイプのコマンドも無線で送信することができるように構成されている無線通信回路と、を備えている電子装置。
【請求項１０】
第１及び第２のタイプのコマンドを無線で送信することができるように構成されている遠隔装置と通信するための電子装置において、
データインターフェース回路と、
前記データインターフェース回路に電気的に連結されている通信インターフェース回路であって、前記通信インターフェース回路は、前記第１タイプのコマンドに応答して、前記第１タイプのコマンドによって搬送される情報を前記データインターフェース回路に提供し、前記第２タイプのコマンドに応答して、前記データインターフェース回路から情報を検索し、前記検索した情報を無線で送信し、前記通信インターフェース回路は、前記第１及び第２のタイプのコマンド以外のコマンドに応答して情報を転送することはしない、通信インターフェース回路と、を備えている電子装置。
【国際調査報告】
2008546362.tif 000008
2008546362.tif 000009
2008546362.tif 000010
2008546362.tif 000011